(57)【特許請求の範囲】
【請求項１】
固定筒の内壁上下部に、対向してガイド孔を有する金具を横設し、このガイド孔に昇降筒内に起立したシャフトを挿通すると共に、固定筒の外側に昇降筒を摺動可能に嵌挿したこと、前記上部ガイド孔から突き出た前記シャフトの上端部に降下点の係止ストッパーを設けたこと、この係止ストッパーと前記上部金具間に衝撃吸収手段を設けたこと、前記固定筒の上部に設けた係止鉤と前記昇降筒の上部に設けた係止片との着脱を自在として上昇点としたこと、前記降下点と前記上昇点間を前記昇降筒に設けた昇降用ハンドルで前記昇降筒を昇降させることを特徴とする排気フードの昇降装置。
【請求項２】
固定筒の下部外壁に昇降筒の内壁に摺擦するガイドスペーサを突設したことを特徴とする請求項１記載の排気フードの昇降装置。
【請求項３】
昇降筒の上部内壁に固定筒の外壁に摺擦するガイドスペーサを突設したことを特徴とする請求項１又は２のいずれかに記載の排気フードの昇降装置。
【発明の詳細な説明】
【技術分野】
【０００１】
本発明は排気フードの昇降装置に関するものである。
【背景技術】
【０００２】
焼肉屋等に設置されたレンジやコンロ等から発生する煙の排気方法として、コンロ等の上に排気フードを設けて排気する方法が知られている。
排気フードはコンロ等に対して低い位置に設けて設置するのが効率的であるけれど、調理後には排気フードは不要となる。
【０００３】
そこで、排気フードを昇降自在とし、必要な時にのみ、排気フードを下げて排気が出来るように、排気フードを昇降可能としたものも提案されている。
また、昇降可能とした排気フードは、コンロ等の煙が発生する真上に排気フードを接近させることができるため、煙以外の余分な周囲の空気を吸い込む割合が少なく排気効率が良く、排気フードの径を小さくすることができる利点もある。
【０００４】
例えば特開２００８−２６７７３６号公報には、排気用昇降フードは、排気ダクトに連通して固定され、下方に延在する垂下筒と、該垂下筒に摺動可能に挿通された昇降筒と、該昇降筒に取付けられ、該垂下筒に吸着することによって該昇降筒を任意の位置で固定する磁石と、該磁石が該垂下筒に任意の位置で着脱することを可能とする着脱機構とが備えられていることが開示されている。
【０００５】
また、特開２００１−３４３１４１号公報には、食卓の上方に配置され、卓上で発生する煙を集めるフードと、下端部を該フードの排煙口を有する基部に接続し、上端部を排煙ダクトに接続する伸縮筒と、該伸縮筒と前記排煙ダクトとの接続部に設けられ、該伸縮筒を伸縮させるための伸縮駆動機構とを備えた伸縮排煙装置が開示されている。
【０００６】
さらに、特開平０９−１１２９８６号公報には、固定垂下筒に摺動昇降筒を嵌合し、摺動昇降筒の下端に集煙フードを設けてなり、固定垂下筒の内面に枢支した昇降回動腕に透孔を穿設し、摺動昇降筒内に設けた芯棒を上記透孔に摺動自在に挿通し、昇降回動腕の傾斜による透孔と芯棒との摩擦抵抗によって摺動垂下筒及び集煙フードの重量を支える自在継手を形成し、かつ昇降回動腕の昇降回動装置を設けたことが開示されている。
【先行技術文献】
【特許文献】
【０００７】
【特許文献１】特開２００８−２６７７３６号公報
【特許文献２】特開２００１−３４３１４１号公報
【特許文献３】特開平０９−１１２９８６号公報
【発明の概要】
【発明が解決しようとする課題】
【０００８】
上記各先行技術では排気筒の下端に取り付けた集塵フードを任意の高さに位置決めできるように、昇降筒を昇降可能としたものである。
そのため、昇降筒の昇降手段と任意位置で係止する保持手段とを兼ね備えたものが必要と成り、安全性と確実性を担保するために構成の複雑化と原価の高騰を余儀なくされるのである。
【０００９】
そこで、本発明は排気フードの昇降筒の昇降範囲を一定高さに限定することで、構成の単純化を図り、安全確実性を維持し、価格の低廉化をも実現することを目的とする。
【課題を解決するための手段】
【００１０】
本発明に係る請求項１のレンジ用排気フードの昇降装置は、固定筒の内壁上下部に、対向してガイド孔を有する金具を横設し、このガイド孔に昇降筒内に起立したシャフトを挿通すると共に、固定筒の外側に昇降筒を摺動可能に嵌挿したこと、前記上部ガイド孔から突き出た前記シャフトの上端部に降下点の係止ストッパーを設けたこと、この係止ストッパーと前記上部金具間に衝撃吸収手段を設けたこと、前記固定筒の上部に設けた係止鉤と前記昇降筒の上部に設けた係止片との着脱を自在として上昇点としたこと、前記降下点と前記上昇点間を前記昇降筒に設けた昇降用ハンドルで前記昇降筒を昇降させることを特徴とするものである。
【００１１】
請求項２の発明のレンジ用排気フードの昇降装置は、請求項１の発明において、固定筒の下部外壁に昇降筒の内壁に摺擦するガイドスペーサを突設したことを特徴とするものである。
【００１２】
請求項３の発明のレンジ用排気フードの昇降装置は、請求項１又は２の発明において、昇降筒の上部内壁に固定筒の外壁に摺擦するガイドスペーサを突設したことを特徴とするものである。
【発明の効果】
【００１３】
請求項１発明の効果は、固定筒の内壁上下部に、対向してガイド孔を有する金具を横設し、このガイド孔に昇降筒内に起立したシャフトを挿通して、固定筒の外側に昇降筒を摺動可能に嵌挿したため、昇降筒は固定筒の外側に嵌挿した状態で昇降可能であり、固定筒の上下のガイド孔に昇降筒のシャフトが挿通しているから、昇降筒は回転する事無く上下方向へ滑らかに摺動する効果を有する。
【００１４】
また、上部ガイド孔から突き出たシャフトの上端部に降下点の係止ストッパーを設けてあるため、降下時には昇降筒の係止ストッパーが固定筒の上部ガイド孔の金具に係止して降下点となって支持され、一方、固定筒の上部に設けた係止鉤と昇降筒の上部に設けた係止片とで着脱を自在となっているため、上昇時には係止鉤に係止片が当着して上昇点となって支持される。
したがって、昇降筒は上下の２点に於いてのみ支持され、使用時には降下させ不用時には上昇さておく簡単な操作で構成の単純化を図り、安全確実性を維持し、価格の低廉化をも実現できる効果を発揮するものである。
【００１５】
さらに、シャフトの係止ストッパーと上部金具間に衝撃吸収手段を設けたため、降下時には昇降筒の係止ストッパーが固定筒の上部ガイド孔の金具に係止する時に、昇降筒の重量が加わる衝撃を吸収緩和する効果を発揮し、昇降筒に設けた昇降用ハンドルで簡単に操作できるものとなる。
【００１６】
請求項２の発明は、請求項１の効果に加え、固定筒の下部外壁に昇降筒の内壁に摺擦するガイドスペーサを突設したため、昇降筒と固定筒との間隙をガイドスペーサが保って摺動することになり、昇降時の両筒間のガタを防止する効果を有する。
【００１７】
請求項３の発明は、請求項１又は２の効果に加え、昇降筒の上部内壁に固定筒の外壁に摺擦するガイドスペーサを突設したため、請求項２と同様に、昇降筒と固定筒との間隙をガイドスペーサが保って摺動することになり、昇降時の両筒間のガタを防止する効果を有する。
【図面の簡単な説明】
【００１８】
【図１】本発明の昇降装置を示す排気フードの降下時の一部断面図である。
【図２】本発明の昇降装置を示す排気フードの上昇時の一部断面図である。
【図３】昇降筒の一部断面とした側面図である。
【図４】固定筒の一部断面とした側面図である。
【発明を実施するための形態】
【００１９】
本発明の実施の形態を図面に基づいて説明する。
図１は本発明の一実施の形態を示すもので、昇降装置を示す排気フードの降下時の一部断面図、図２は同排気フードの上昇時の一部断面図である。
【００２０】
例えば焼肉店等においては、通常、レンジ・コンロ等の加熱器の上方に垂下した排気筒が設置され、排気筒の下端に吸引口を当着し、垂下筒の上方はグリスフィルターやダンバー等を内装し、天井裏において水平方向に連設したダクトを配設してその先部を屋外に開口し、  排気ファンにより強制的に屋外へ排気している。
【００２１】
図１及び図２において、表示した各構成部材は、天井より垂下して固定されてレンジ・コンロの上方に設置される排気筒のグリスフィルターユニット１、レンジ・コンロとの関係で高さ調節をするための固定筒２及び昇降筒３を示している。
【００２２】
固定筒２は脱着用筒２１を介してグリスフィルターユニット１に連結固定してあり、固定筒２の外側に昇降筒３が嵌挿して昇降可能となっている。
昇降筒３の下端部には排気ガス等の吸い込み口となるヘッド部４が取り付けられ、このヘッド部４とレンジ等の焼き網との間隔の適否が吸い込み効率に重大な影響を及ぼすものである。
【００２３】
固定筒２の内壁上下部には、対向してガイド孔６、６を有するＬ形の金具５、５が横設してある。
一方、昇降筒３の内部には、下端部に起設用台７を内壁に固定し、起設用台７にシャフト８を垂直（内壁に沿って上下方向に平行に）に起立し、起立した先端は昇降筒３の上縁を越えて延伸している。
【００２４】
そして、前記固定筒２のガイド孔６，６に起立したシャフト８を挿通して、固定筒２の外側に昇降筒３が摺動可能に嵌挿されているため、固定筒２の上下のガイド孔６、６内を昇降筒３のシャフト８が滑らかに摺動するから、昇降筒３は回転する事無く上下方向へガイドされて昇降するのである。
【００２５】
また、固定筒２の上部のガイド孔６から突き出た昇降筒３のシャフト８の上端部には降下点の係止ストッパー９が設けられている。
したがって、昇降筒３の降下時には昇降筒３の係止ストッパー９が固定筒２の上部ガイド孔６の金具５に係止し、それ以上は降下することはなく降下点となって支持されるため、係止ストッパー９の位置によって昇降筒３の下端の取り付けたヘッド４とレンジ等の焼き網との間隔を設定することができる。
【００２６】
さらに、シャフト８の係止ストッパー９と上部金具５の間に衝撃吸収手段１０を設けることで、降下時には昇降筒３の係止ストッパー９が固定筒２の上部ガイド孔６の金具５に係止する時に、昇降筒３の重量が加わる衝撃を吸収緩和することができる。
図面では一例として、固定筒２の上部ガイド孔６を設けた金具５の上面にスプリングと受け皿１５がシャフト８に緩挿してあるけれど、係止ストッパー９の直下にスプリングを巻着して設置しても良い。
【００２７】
一方、固定筒２の上部に係止鉤１０を、昇降筒３の上部には係止片１１を対向位置に設け、着脱を自在に係止できるようになっている。
このため、昇降筒３の上昇時には突合して係止鉤１０に係止片１１が当着係止して上昇点となって支持される。
【００２８】
したがって、昇降筒３は昇降して上下の２点に於いてのみ支持され、排気の必要な使用時には降下させて排気ガスを吸引し、不用時には上昇させて邪魔とならない高さにしておくことができ、手動の簡単な操作で行なえるものとなる。
【００２９】
図面の実施の形態例では、係止鉤１０に市販のプッシュラッチを転用して係止片１１との突合で脱着を容易におこなえるようにしたもので、ノック部１０Ａを係止片１１でノックすることで係止鉤部１０Ｂが横方向に振れて係止片１１の係止部１１Ａに着脱するものである。
昇降筒３に設けた昇降用ハンドル１２で簡単に操作できるものとなる。
【００３０】
また、固定筒２の下部外壁に昇降筒３の内壁に摺擦するガイドスペーサ１３を突設し、また、昇降筒３側の上部内壁にも固定筒２の外壁に摺擦するガイドスペーサ１４を突設することにより、昇降筒３と固定筒２との間隙をガイドスペーサ１３又は１４が保って摺動することになり、昇降時の両筒間のガタを防止する作用を奏する。
各ガイドスペーサ１３、１４は各周壁に等間隔で三個設けられている。
【００３１】
以上、本発明を実施の形態を図面に基づき具体的に説明したが、本発明は上記の実施形態に限定されるものではなく、発明の思想を逸脱することない範囲の他の実施の形態にも適用可能である。
【符号の説明】
【００３２】
１          グリスフィルターユニット
２          固定筒
３          昇降筒
４          ヘッド部
５          金具
６          ガイド孔
７          起設用台
８          シャフト
９          係止ストッパー
１０        係止鉤
１１        係止片
１２        昇降用ハンドル
１３，１４  ガイドスペーサ
１５        受け皿
【図１】
0005814032.tif 000002
【図２】
0005814032.tif 000003
【図３】
0005814032.tif 000004
【図４】
0005814032.tif 000005